【手続補正書】
【提出日】令和3年3月22日(2021.3.22)
【手続補正１】
【補正対象書類名】特許請求の範囲
【補正対象項目名】全文
【補正方法】変更
【補正の内容】
【特許請求の範囲】
【請求項１】
システムであって、前記システムは、１つ以上のプロセッサと、１つ以上のコンピュータ記憶媒体とを備え、前記１つ以上のコンピュータ記憶媒体は、命令を記憶しており、前記命令は、前記１つ以上のプロセッサによって実行されると、前記１つ以上のプロセッサに、
１つ以上のセンサを介して検出された情報に基づいて、ユーザの眼移動を監視することと、
前記眼移動に基づいて、前記ユーザの眼が固視している固視点を決定することであって、前記固視点は、前記ユーザの視野内の３次元場所である、ことと、
ユーザに提示するための１つ以上の仮想オブジェクトと関連付けられた場所情報を取得することであって、前記場所情報は、前記仮想オブジェクトの３次元位置を示す、ことと、
複数の仮想オブジェクトの分解能を、前記仮想オブジェクトと前記固視点の近接度と、前記仮想オブジェクトの各々と関連付けられた出力された光の波面発散のインジケーションとに少なくとも部分的に基づいて、調節することであって、前記調節された分解能は、前記仮想オブジェクトと関連付けられた波面発散量によって異なる、ことと、
ディスプレイデバイスを介して、ユーザに、前記仮想オブジェクトの提示をもたらすことであって、前記仮想オブジェクトは、前記個別の調節された分解能に従ってレンダリングされ、前記関連付けられた波面発散量を伴う光によって形成される、ことと
を含む動作を実施させる、システム。
【請求項２】
前記仮想オブジェクトの分解能を調節することは、前記仮想オブジェクトの提示品質を低減させることを含む、請求項１に記載のシステム。
【請求項３】
前記仮想オブジェクトの提示品質を低減させることは、前記仮想オブジェクトのポリゴンカウントを低減させること、前記仮想オブジェクトを生成するために利用されるプリミティブを調節すること、前記仮想オブジェクト上で実施される動作を調節すること、テクスチャ情報を調節すること、色分解能または深度を調節すること、およびレンダリングサイクルの数またはフレームレートを調節することのうちの１つ以上のものを含む、請求項２に記載のシステム。
【請求項４】
前記視野は、前記ディスプレイデバイスのディスプレイ錐台に対応する、請求項１に記載のシステム。
【請求項５】
前記視野は、複数のゾーンを備え、各ゾーンは、前記仮想オブジェクトが前記ディスプレイデバイスによって提示されることができる前記視野内の空間の体積を表し、
前記ゾーンは、前記視野内の初期深度から前記視野内の終了深度まで延在し、
前記固視点からの前記仮想オブジェクトの近接度は、前記仮想オブジェクトが提示されることになる第１のゾーンを前記固視点が位置する第２のゾーンから分離する距離に対応する、請求項１に記載のシステム。
【請求項６】
前記仮想オブジェクトの分解能を調節することは、前記少なくとも１つの仮想オブジェクトに最初に割り当てられる分解能から分解能を低減させることを含み、前記近接度は、前記第１のゾーンを前記第２のゾーンから分離するゾーンの総数に対応する、請求項５に記載のシステム。
【請求項７】
前記固視点が位置する第２のゾーンは、最大分解能を割り当てられ、残りのゾーンは、それぞれ、１つ以上の降下率に従って、前記最大分解能から低減された分解能を割り当てられる、請求項５に記載のシステム。
【請求項８】
前記動作は、
ユーザ網膜錐体密度プロファイルを提供すること
をさらに含み、
個々の深度平面上の降下率は、前記ユーザ網膜錐体密度プロファイル内の錐体密度の降下率に実質的に準拠する、請求項５に記載のシステム。
【請求項９】
前記ゾーンは、３次元多角形形状を有する、請求項５に記載のシステム。
【請求項１０】
前記ゾーンは、同心楕円体である、請求項５に記載のシステム。
【請求項１１】
前記ゾーンの形状は、前記第２のゾーンまでの距離に伴って変動する、請求項５に記載のシステム。
【請求項１２】
前記ディスプレイデバイスをさらに備え、前記ディスプレイデバイスは、
ディスプレイエリアを形成し、周囲環境のビューを前記ディスプレイエリアを通して提供する複数のスタックされた導波管であって、前記複数の導波管の少なくともいくつかの導波管は、他の導波管と異なる波面発散を伴う光を出力するように構成される、複数のスタックされた導波管
を備える、請求項１に記載のシステム。
【請求項１３】
前記固視点からより遠い深度に提示されることになり、前記ユーザの視線の閾値角距離内であることが決定される第１の仮想オブジェクトに関して、前記動作は、
前記第１の仮想オブジェクトと前記固視点の近接度に基づいて、前記第１の仮想オブジェクトの分解能を調節することと、
ユーザへの前記第１の仮想オブジェクトの提示の間、前記第１の仮想オブジェクトをぼかさせることと、
をさらに含む、請求項１に記載のシステム。
【請求項１４】
前記第１の仮想オブジェクトをぼかさせることは、
ガウスぼかしカーネルの畳み込みを実施することであって、前記第１の仮想オブジェクトは、前記調節された分解能に従ってレンダリングされる、ことと、
前記ディスプレイデバイスを介して、前記畳み込みの結果をユーザに提示することと
を含む、請求項１３に記載のシステム。
【請求項１５】
前記１つ以上のセンサは、前記ユーザの眼の視線方向を検出するように構成される、赤外線センサ、紫外線センサ、および可視波長光結像デバイスのうちの１つ以上のものを備える、請求項１に記載のシステム。
【請求項１６】
ディスプレイシステムであって、前記ディスプレイシステムは、
仮想コンテンツをユーザに提示するように構成されるディスプレイデバイスと、
１つ以上のプロセッサと、
１つ以上のコンピュータ記憶媒体であって、前記１つ以上のコンピュータ記憶媒体は、命令を記憶しており、前記命令は、前記システムによって実行されると、前記システムに、
前記ユーザの眼移動と関連付けられた情報を監視することと、
前記監視される情報に基づいて、前記ディスプレイデバイスのディスプレイ錐台内の固視点を決定することであって、前記固視点は、前記ユーザの眼によって固視されている３次元場所を示す、ことと、
前記決定された固視点に基づいて、仮想コンテンツを前記ディスプレイ錐台内の３次元場所に提示することであって、前記仮想コンテンツは、前記固視点からの前記仮想コンテンツの近接度と、前記仮想コンテンツと関連付けられた出力された光の波面発散のインジケーションとに基づいて、分解能を調節される、ことと、
を含む動作を実施させる、１つ以上のコンピュータ記憶媒体と
を備える、システム。
【請求項１７】
前記動作はさらに、
前記ディスプレイデバイスが、１つ以上のプロセッサを備える外部システムに、前記決定された固視点を提供することと、
前記ディスプレイデバイスが、前記外部システムから、提示のために、レンダリングされた仮想コンテンツを受信することであって、前記レンダリングされた仮想コンテンツは、前記固視点からの前記レンダリングされた仮想コンテンツの個別の近接度に基づく分解能でレンダリングされる、ことと
を含む、請求項１６に記載のシステム。
【請求項１８】
前記固視点からの前記近接度に基づいて、特定の仮想コンテンツの分解能を調節することは、
前記近接度に基づいて、最大分解能における低減を決定することであって、前記低減は、降下率に基づく、ことと、
前記決定された低減に基づいて、前記特定の仮想コンテンツの分解能を調節することと
を含む、請求項１６に記載のシステム。
【請求項１９】
前記ディスプレイデバイスは、複数の導波管を備え、各導波管は、個別の深度と関連付けられた前記仮想コンテンツの３次元場所に基づいて、個別の深度と関連付けられた仮想コンテンツを提示する、請求項１６に記載のシステム。
【請求項２０】
前記ディスプレイデバイスは、前記固視点に対する中心窩化結像に基づいて、前記仮想コンテンツを提示し、前記中心窩化結像は、（１）前記固視点および（２）前記仮想コンテンツと関連付けられた深度情報を組み込む、請求項１６に記載のシステム。
【請求項２１】
方法であって、
１つ以上のプロセッサのシステムが、
１つ以上のセンサを介して検出された情報に基づいて、ディスプレイデバイスのユーザの眼配向を監視することと、
前記眼配向に基づいて、前記ユーザの眼が固視している固視点を決定することであって、前記固視点は、前記ユーザの視野に対する３次元場所を表す、ことと、
前記ユーザに提示するための１つ以上の仮想オブジェクトと関連付けられた場所情報を取得することであって、前記場所情報は、前記仮想オブジェクトの３次元位置を示す、ことと、
複数の仮想オブジェクトの分解能を、前記仮想オブジェクトから前記固視点までの近接度と、前記仮想オブジェクトの各々と関連付けられた出力された光の波面発散のインジケーションとに少なくとも部分的に基づいて、調節することであって、前記調節された分解能は、波面発散量によって異なる、ことと、
前記ディスプレイデバイスを介して、前記ユーザに、前記仮想オブジェクトの提示をもたらすことであって、前記仮想オブジェクトは、前記個別の調節された分解能に従ってレンダリングされ、前記関連付けられた波面発散量を伴う光によって形成される、ことと
を含む、方法。
【請求項２２】
前記仮想オブジェクトの分解能を調節することは、最大可能提示品質に対して前記仮想オブジェクトの提示品質を低減させることを含む、請求項２１に記載の方法。
【請求項２３】
前記仮想オブジェクトの提示品質を低減させることは、前記仮想オブジェクトのポリゴンカウントを低減させること、前記仮想オブジェクトと関連付けられたプリミティブを低減させること、または前記仮想オブジェクトと関連付けられたテクスチャ情報を低減させることを含む、請求項２２に記載の方法。
【請求項２４】
前記固視点は、前記ディスプレイデバイスを介して前記ユーザに提示されるフレーム毎に決定される、請求項２１に記載の方法。
【請求項２５】
前記視野は、ゾーンを備え、各ゾーンは、仮想オブジェクトが提示されることができる前記視野内の空間の体積を表し、
前記ゾーンは、少なくとも、前記視野内の初期深度から前記視野内の終了深度まで延在し、
前記固視点からの前記仮想オブジェクトの前記近接度は、前記固視点が位置する第２のゾーンに対する前記仮想オブジェクトが提示されることになる第１のゾーンに基づいて決定される、請求項２１に記載の方法。
【請求項２６】
センサは、赤外線センサ、紫外線センサ、および可視波長光結像デバイスのうちの１つ以上のものを備える、請求項２１に記載の方法。
【手続補正２】
【補正対象書類名】明細書
【補正対象項目名】００２３
【補正方法】変更
【補正の内容】
【００２３】
別の実施形態によると、画像をユーザの眼に投影させるためのディスプレイシステムは、画像源を含む。画像源は、第１の画像ストリームと関連付けられた第１の光ビームと、第２の画像ストリームと関連付けられた第２の光ビームとを投影するように構成されることができる。第１の画像ストリームは、第１の視野を有することができ、第２の画像ストリームは、第１の視野より狭い、第２の視野を有することができる。第１の光ビームおよび第２の光ビームは、多重化されることができる。ディスプレイシステムはさらに、第１の画像ストリームおよび第２の画像ストリームを投影させるために、第１の光ビームおよび第２の光ビームを受光し、視認アセンブリに向かって反射させるように構成される、走査ミラーを含むことができる。ディスプレイシステムはさらに、ユーザの眼の移動を検出するように構成される、眼視線トラッカと、眼視線トラッカおよび走査ミラーと通信する、制御回路とを含むことができる。制御回路は、第１の画像ストリームの位置および第２の画像ストリームの位置が、ユーザの眼の検出された移動に従って移動されるように、走査ミラーを位置付けるように構成されることができる。ディスプレイシステムはさらに、第１の光ビームおよび第２の光ビームの光学経路内に配置される、切替可能光学要素を含むことができる。切替可能光学要素は、第１の光ビームが第１の角度拡大率によって角度的に拡大されるように、第１の光ビームのための第１の状態に切り替えられ、第２の光ビームが第１の角度拡大率未満である第２の角度拡大率によって角度的に増幅されるように、第２の光ビームのための第２の状態に切り替えられるように構成されることができる。
本発明は、例えば、以下を提供する。
（項目１）
システムであって、前記システムは、１つ以上のプロセッサと、１つ以上のコンピュータ記憶媒体とを備え、前記１つ以上のコンピュータ記憶媒体は、命令を記憶しており、前記命令は、前記１つ以上のプロセッサによって実行されると、前記１つ以上のプロセッサに、
１つ以上のセンサを介して検出された情報に基づいて、ユーザの眼移動を監視することと、
前記眼移動に基づいて、前記ユーザの眼が固視している固視点を決定することであって、前記固視点は、前記ユーザの視野内の３次元場所である、ことと、
ユーザに提示するための１つ以上の仮想オブジェクトと関連付けられた場所情報を取得することであって、前記場所情報は、仮想オブジェクトの３次元位置を示す、ことと、
少なくとも部分的に、前記少なくとも１つの仮想オブジェクトと前記固視点の近接度に基づいて、少なくとも１つの仮想オブジェクトの分解能を調節することと、
ディスプレイデバイスを介して、ユーザに、前記１つ以上の仮想オブジェクトの提示をもたらすことであって、前記少なくとも１つの仮想オブジェクトは、前記個別の調節された分解能に従ってレンダリングされる、ことと
を含む動作を実施させる、システム。
（項目２）
仮想オブジェクトの分解能を調節することは、前記仮想オブジェクトの提示品質を低減させることを含む、項目１に記載のシステム。
（項目３）
前記仮想オブジェクトの提示品質を低減させることは、前記仮想オブジェクトのポリゴンカウントを低減させること、前記仮想オブジェクトを生成するために利用されるプリミティブを調節すること、前記仮想オブジェクト上で実施される動作を調節すること、テクスチャ情報を調節すること、色分解能、または深度を調節すること、およびレンダリングサイクルの数またはフレームレートを調節することのうちの１つ以上のものを含む、項目２に記載のシステム。
（項目４）
前記視野は、前記ディスプレイデバイスのディスプレイ錐台に対応する、項目１に記載のシステム。
（項目５）
前記視野は、複数のゾーンを備え、各ゾーンは、仮想オブジェクトが前記ディスプレイデバイスによって提示され得る前記視野内の空間の体積を表し、
前記ゾーンは、前記視野内の初期深度から前記視野内の終了深度まで延在し、
前記固視点からの前記１つ以上の仮想オブジェクトの近接度は、前記仮想オブジェクトが提示されることになる第１のゾーンを前記固視点が位置する第２のゾーンから分離する距離に対応する、
項目１に記載のシステム。
（項目６）
前記少なくとも１つの仮想オブジェクトの分解能を調節することは、前記少なくとも１つの仮想オブジェクトに最初に割り当てられる分解能から分解能を低減させることを含み、前記近接度は、前記第１のゾーンを前記第２のゾーンから分離するゾーンの総数に対応する、項目５に記載のシステム。
（項目７）
前記固視点が位置する第２のゾーンは、最大分解能を割り当てられ、残りのゾーンは、それぞれ、１つ以上の降下率に従って、前記最大分解能から低減された分解能を割り当てられる、項目５に記載のシステム。
（項目８）
前記動作はさらに、
ユーザ網膜錐体密度プロファイルを提供すること
を含み、
個々の深度平面上の降下率は、前記ユーザ網膜錐体密度プロファイル内の錐体密度の降下率に実質的に準拠する、項目５に記載のシステム。
（項目９）
前記ゾーンは、３次元多角形形状を有する、項目５に記載のシステム。
（項目１０）
前記ゾーンは、同心楕円体である、項目５に記載のシステム。
（項目１１）
前記ゾーンの形状は、前記第２のゾーンまでの距離に伴って変動する、項目５に記載のシステム。
（項目１２）
前記ディスプレイデバイスをさらに備え、前記ディスプレイデバイスは、
ディスプレイエリアを形成し、周囲環境のビューを前記ディスプレイエリアを通して提供する複数のスタックされた導波管であって、前記複数の導波管の少なくともいくつかの導波管は、他の導波管と異なる波面発散を伴う光を出力するように構成される、複数のスタックされた導波管
を備える、項目１に記載のシステム。
（項目１３）
前記固視点からより遠い深度に提示されることになり、前記ユーザの視線の閾値角距離内であることが決定される、第１の仮想オブジェクトに関して、前記動作はさらに、
前記第１の仮想オブジェクトと前記固視点の近接度に基づいて、前記第１の仮想オブジェクトの分解能を調節することと、
ユーザへの前記第１の仮想オブジェクトの提示の間、前記第１の仮想オブジェクトをぼかさせることと、
を含む、項目１に記載のシステム。
（項目１４）
前記第１の仮想オブジェクトをぼかさせることは、
ガウスぼかしカーネルの畳み込みを実施することであって、前記第１の仮想オブジェクトは、前記調節された分解能に従ってレンダリングされる、ことと、
前記ディスプレイデバイスを介して、前記畳み込みの結果をユーザに提示することと、
を含む、項目１３に記載のシステム。
（項目１５）
前記１つ以上のセンサは、前記ユーザの眼の視線方向を検出するように構成される、赤外線センサ、紫外線センサ、および可視波長光結像デバイスのうちの１つ以上のものを備える、項目１に記載のシステム。
（項目１６）
ディスプレイシステムであって、前記ディスプレイシステムは、
仮想コンテンツをユーザに提示するように構成されるディスプレイデバイスと、
１つ以上のプロセッサと、
１つ以上のコンピュータ記憶媒体であって、前記１つ以上のコンピュータ記憶媒体は、命令を記憶しており、前記命令は、前記システムによって実行されると、前記システムに、
前記ユーザの眼移動と関連付けられた情報を監視することと、
前記監視される情報に基づいて、前記ディスプレイデバイスのディスプレイ錐台内の固視点を決定することであって、前記固視点は、前記ユーザの眼によって固視されている３次元場所を示す、ことと、
前記決定された固視点に基づいて、仮想コンテンツを前記ディスプレイ錐台内の３次元場所に提示することであって、前記仮想コンテンツは、前記固視点からの前記仮想コンテンツの近接度に基づいて、分解能を調節される、ことと、
を含む動作を実施させる、１つ以上のコンピュータ記憶媒体と
を備える、システム。
（項目１７）
前記動作はさらに、
前記ディスプレイデバイスによって、１つ以上のプロセッサを備える外部システムに、前記決定された固視点を提供することと、
前記ディスプレイデバイスによって、前記外部システムから、提示のために、レンダリングされた仮想コンテンツを受信することであって、前記仮想コンテンツは、前記固視点からの前記仮想コンテンツの個別の近接度に基づく分解能でレンダリングされる、ことと、
を含む、項目１６に記載のシステム。
（項目１８）
前記固視点からの近接度に基づいて、特定の仮想コンテンツの分解能を調節することは、
前記近接度に基づいて、最大分解能における低減を決定することであって、前記低減は、降下率に基づく、ことと、
前記決定された低減に基づいて、前記特定の仮想コンテンツの分解能を調節することとを含む、項目１６に記載のシステム。
（項目１９）
前記ディスプレイデバイスは、複数の導波管を備え、各導波管は、前記仮想コンテンツの３次元場所に基づいて、個別の深度と関連付けられた仮想コンテンツを提示する、項目１６に記載のシステム。
（項目２０）
前記ディスプレイデバイスは、前記固視点に対する中心窩化結像に基づいて、仮想コンテンツを提示し、前記中心窩化結像は、（１）前記固視点および（２）仮想コンテンツと関連付けられた深度情報を組み込む、項目１６に記載のシステム。
（項目２１）
方法であって、
１つ以上のプロセッサのシステムによって、
１つ以上のセンサを介して検出された情報に基づいて、ディスプレイデバイスのユーザの眼配向を監視することと、
前記眼配向に基づいて、前記ユーザの眼が固視している固視点を決定することであって、前記固視点は、前記ユーザの視野に対する３次元場所を表す、ことと、
ユーザに提示するための１つ以上の仮想オブジェクトと関連付けられた場所情報を取得することであって、前記場所情報は、仮想オブジェクトの３次元位置を示す、ことと、
少なくとも部分的に、前記少なくとも１つの仮想オブジェクトから前記固視点までの個別の近接度に基づいて、少なくとも１つの仮想オブジェクトの分解能を調節することと、
前記ディスプレイデバイスを介して、ユーザに、前記１つ以上の仮想オブジェクトの提示をもたらすことであって、前記少なくとも１つの仮想オブジェクトは、前記個別の調節された分解能に従ってレンダリングされる、ことと
を含む、方法。
（項目２２）
仮想オブジェクトの分解能を調節することは、最大可能提示品質に対して前記仮想オブジェクトの提示品質を低減させることを含む、項目２１に記載の方法。
（項目２３）
前記仮想オブジェクトの提示品質を低減させることは、前記仮想オブジェクトのポリゴンカウントを低減させること、前記仮想オブジェクトと関連付けられたプリミティブを低減させること、または前記仮想オブジェクトと関連付けられたテクスチャ情報を低減させることを含む、項目２２に記載の方法。
（項目２４）
前記固視点は、前記ディスプレイデバイスを介してユーザに提示されるフレーム毎に決定される、項目２１に記載の方法。
（項目２５）
前記視野は、ゾーンを備え、各ゾーンは、仮想オブジェクトが提示され得る前記視野内の空間の体積を表し、
前記ゾーンは、少なくとも、前記視野内の初期深度から前記視野内の終了深度まで延在し、
前記固視点からの仮想オブジェクトの近接度は、前記固視点が位置する第２のゾーンに対する前記仮想オブジェクトが提示されることになる第１のゾーンに基づいて決定される、項目２１に記載の方法。
（項目２６）
センサは、赤外線センサ、紫外線センサ、および可視波長光結像デバイスのうちの１つ以上のものを備える、項目２１に記載の方法。
（項目２７）
ディスプレイシステムであって、
ユーザの頭部上に搭載されるように構成されるフレームと、
光を出力し、画像を形成するように構成される光変調システムと、
前記フレームに取り付けられ、前記光変調システムからの光を受光し、前記光を１つ以上の導波管の表面を横断して出力するように構成される１つ以上の導波管と、
１つ以上のプロセッサと、
１つ以上のコンピュータ記憶媒体であって、前記１つ以上のコンピュータ記憶媒体は、命令を記憶しており、前記命令は、前記１つ以上のプロセッサによって実行されると、前記１つ以上のプロセッサに、
前記ユーザの眼の網膜に到達する光の量を決定することと、
前記網膜に到達する光の量に基づいて、ユーザに提示されることになる仮想コンテンツの分解能を調節することと
を含む動作を実施させる、１つ以上のコンピュータ記憶媒体と
を備える、ディスプレイシステム。
（項目２８）
周囲照明レベルを測定するように構成される外向きに指向されるカメラをさらに備え、前記網膜に到達する光の量を決定することは、前記周囲照明レベルを測定することを含む、項目２７に記載のディスプレイシステム。
（項目２９）
前記網膜に到達する光の量を決定することはさらに、前記導波管によって前記ユーザの眼に出力された光の量を決定することを含む、項目２８に記載のディスプレイシステム。
（項目３０）
前記動作はさらに、
ユーザ固視点を決定することと、
前記仮想コンテンツの場所情報を取得することであって、前記場所情報は、前記仮想コンテンツの３次元位置を示す、ことと
を含み、前記仮想コンテンツの分解能を調節することは、前記仮想コンテンツと前記固視点の近接度に基づいて、前記仮想コンテンツの分解能を変動させることを含む、項目２７に記載のディスプレイシステム。
（項目３１）
前記仮想コンテンツの分解能を調節することは、前記ユーザから離れるように延在する深度軸上の前記仮想コンテンツと前記固視点の近接度に基づいて、前記仮想コンテンツの分解能を変動させることを含む、項目３０に記載のディスプレイシステム。
（項目３２）
前記１つ以上の導波管は、導波管のスタックを備え、前記導波管のスタックの導波管のうちの少なくともいくつかは、前記導波管のスタックの他の導波管と異なる波面発散量を提供する、項目２７に記載のディスプレイシステム。
（項目３３）
前記１つ以上の導波管は、
内部結合回折光学要素と、
外部結合回折光学要素と、
前記内部結合回折光学要素からの光を前記外部結合回折光学要素に指向するように構成される光分散要素と
を備える、項目２７に記載のディスプレイシステム。
（項目３４）
ディスプレイシステムであって、
１つ以上のプロセッサと、
１つ以上のコンピュータ記憶媒体であって、前記１つ以上のコンピュータ記憶媒体は、命令を記憶しており、前記命令は、前記１つ以上のプロセッサによって実行されると、前記１つ以上のプロセッサに、
前記ディスプレイシステムのユーザの眼の網膜に到達する光の量を決定することと、
前記網膜に到達する光の量に基づいて、ユーザに提示されることになる仮想コンテンツの分解能を調節することと
を含む動作を実施させる、１つ以上のコンピュータ記憶媒体と
を備える、ディスプレイシステム。
（項目３５）
前記網膜に到達する光の量を決定することは、周囲照明レベルを決定することを含む、項目３４に記載のディスプレイシステム。
（項目３６）
前記網膜に到達する光の量を決定することは、前記仮想コンテンツを表示するために前記ディスプレイシステムによって出力される光の量を決定することを含む、項目３５に記載のディスプレイシステム。
（項目３７）
前記網膜に到達する光の量を決定することは、前記ユーザの眼の瞳孔のサイズを決定することを含む、項目３４に記載のディスプレイシステム。
（項目３８）
前記仮想コンテンツの分解能を調節することは、前記ユーザ固視点からの前記仮想コンテンツの距離の増加に伴って、前記仮想コンテンツの分解能を減少させることを含む、項目３４に記載のディスプレイシステム。
（項目３９）
前記分解能を減少させる傾向は、前記ユーザの網膜内の錐体密度を減少させる傾向に実質的に類似する、項目３８に記載のディスプレイシステム。
（項目４０）
ユーザ視野内の最大分解能のゾーンは、前記ユーザの眼の小窩に対応する点上に心合され、
ユーザ視野内の前記仮想コンテンツの分解能は、前記点の＋／−２０°外側に配置される仮想コンテンツに関して減少する、
項目３９に記載のディスプレイシステム。
（項目４１）
前記分解能を減少させることは、前記網膜に到達する光の全てのレベルのポリゴンカウントを減少させることを含む、項目３８に記載のディスプレイシステム。
（項目４２）
前記分解能を調節することは、前記分解能を２つの分解能レベルのうちの１つに設定することを含む、項目３８に記載のディスプレイシステム。
（項目４３）
前記仮想コンテンツの分解能を調節することは、前記網膜に到達する光の量の減少に伴って、色深度およびコントラスト比の一方または両方を減少させることを含む、項目４２に記載のディスプレイシステム。
（項目４４）
前記動作はさらに、
前記光の量が、明所視、薄明視、または暗所視照明レベルに対応するかどうかを決定することを含み、
前記仮想コンテンツの分解能を調節することは、前記照明レベルが、明所視、薄明視、または暗所視照明レベルに対応するかどうかに基づいて、前記分解能を設定することを含む、項目３４に記載のディスプレイシステム。
（項目４５）
前記仮想コンテンツの分解能を調節することは、暗所視照明レベルにおいて、単色を使用して、前記仮想コンテンツを表示することを含む、項目３４に記載のディスプレイシステム。
（項目４６）
前記仮想コンテンツの分解能を調節することは、前記眼の網膜に到達する光の量が減少するにつれて、前記仮想コンテンツを形成する画像のコントラスト比を減少させることを含む、項目３４に記載のディスプレイシステム。
（項目４７）
前記動作はさらに、
仮想コンテンツを複数の原色において提供すること
を含み、
前記仮想コンテンツの分解能を調節することは、異なる原色に関する異なる分解能を提供することを含む、項目３４に記載のディスプレイシステム。
（項目４８）
前記動作はさらに、前記眼の視神経盲点に対応する仮想コンテンツのレンダリングを防止することを含む、項目３４に記載のディスプレイシステム。
（項目４９）
前記仮想コンテンツの分解能を調節することは、前記ユーザの眼毎の反対周辺領域内に位置する仮想コンテンツのレンダリングを防止することを含み、前記反対周辺領域は、前記眼が配置される前記ユーザの側と反対の前記ユーザの側上にある、項目３４に記載のディスプレイシステム。
（項目５０）
前記動作はさらに、ディスプレイデバイスを介して、ユーザに、前記仮想コンテンツの提示をもたらすことを含み、前記仮想コンテンツは、関連付けられた調節された分解能に従ってレンダリングされる、項目３４に記載のディスプレイシステム。
（項目５１）
１つ以上のプロセッサと、頭部搭載可能ディスプレイとを備えるディスプレイシステムによって実施される方法であって、前記方法は、
前記ディスプレイシステムのユーザの眼の網膜に到達する光の量を決定することと、
前記網膜に到達する光の量に基づいて、ユーザに提示されることになる仮想コンテンツの分解能を調節することと
を含む、方法。
（項目５２）
ディスプレイシステムであって、
ユーザの頭部上に搭載されるように構成されるフレームと、
光を出力し、画像を形成するように構成される光変調システムと、
前記フレームに取り付けられ、前記光変調システムからの光を受光し、前記光を１つ以上の導波管の表面を横断して出力するように構成される１つ以上の導波管と、
１つ以上のプロセッサと、
１つ以上のコンピュータ記憶媒体であって、前記１つ以上のコンピュータ記憶媒体は、命令を記憶しており、前記命令は、前記１つ以上のプロセッサによって実行されると、前記１つ以上のプロセッサに、
ユーザ固視点からの前記仮想コンテンツの近接度と、
前記原色画像の色であって、前記原色画像のうちの少なくとも１つは、別の色の原色画像と分解能が異なる、前記原色画像の色と
に基づいて、仮想コンテンツを形成する原色画像の分解能を調節することを含む動作を実施させる、１つ以上のコンピュータ記憶媒体と
を備える、ディスプレイシステム。
（項目５３）
前記仮想コンテンツの分解能を調節することは、前記ユーザから離れるように延在する深度軸上の前記仮想コンテンツと前記固視点の近接度に基づいて、前記仮想コンテンツの分解能を変動させることを含む、項目５２に記載のディスプレイシステム。
（項目５４）
前記１つ以上の導波管は、導波管のスタックを備え、前記導波管のスタックの導波管のうちの少なくともいくつかは、前記導波管のスタックの他の導波管と異なる波面発散量を提供する、項目５２に記載のディスプレイシステム。
（項目５５）
前記１つ以上の導波管は、
内部結合回折光学要素と、
外部結合回折光学要素と、
前記内部結合回折光学要素からの光を前記外部結合回折光学要素に指向するように構成される、光分散要素と、
を備える、項目５２に記載のディスプレイシステム。
（項目５６）
ディスプレイシステムであって、
１つ以上のプロセッサと、
１つ以上のコンピュータ記憶媒体であって、前記１つ以上のコンピュータ記憶媒体は、命令を記憶しており、前記命令は、前記１つ以上のプロセッサによって実行されると、前記１つ以上のプロセッサに、
ユーザ固視点からの前記仮想コンテンツの近接度と、
前記原色画像の色であって、前記原色画像のうちの少なくとも１つは、別の色の原色画像と分解能が異なる、前記原色画像の色と
に基づいて、仮想コンテンツを形成する原色画像の分解能を調節することを含む動作を実施させる、１つ以上のコンピュータ記憶媒体と
を備える、ディスプレイシステム。
（項目５７）
前記分解能は、少なくとも色深度に対応する、項目５６に記載のディスプレイシステム。
（項目５８）
前記分解能は、少なくともポリゴンカウントに対応する、項目５６に記載のディスプレイシステム。
（項目５９）
前記原色画像は、赤色原色画像、緑色原色画像、および青色原色画像を備え、
前記緑色原色画像は、前記赤色または前記青色原色画像より高い分解能を有する、
項目５６に記載のディスプレイシステム。
（項目６０）
前記赤色原色画像は、前記青色原色画像より高い分解能を有する、項目５９に記載のディスプレイシステム。
（項目６１）
前記仮想コンテンツの分解能を調節することは、周囲光および前記仮想コンテンツを表示するために前記ディスプレイシステムによって出力された光の一方または両方の減少に伴って、前記仮想コンテンツを形成する画像のコントラスト比を減少させることを含む、項目５６に記載のディスプレイシステム。
（項目６２）
前記動作はさらに、前記ディスプレイシステムのユーザの眼の視神経盲点に対応する仮想コンテンツのレンダリングを防止することを含む、項目５６に記載のディスプレイシステム。
（項目６３）
前記仮想コンテンツの分解能を調節することは、前記ユーザの眼毎の反対周辺領域内に位置する仮想コンテンツのレンダリングを防止することを含み、前記反対周辺領域は、前記眼が配置される前記ユーザの側と反対の前記ユーザの側上にある、項目５６に記載のディスプレイシステム。
（項目６４）
前記動作はさらに、ディスプレイデバイスを介して、ユーザに、前記仮想コンテンツの提示をもたらすことを含み、前記仮想コンテンツは、関連付けられた調節された分解能に従ってレンダリングされる、項目５６に記載のディスプレイシステム。
（項目６５）
１つ以上のプロセッサと、頭部搭載可能ディスプレイとを備える、ディスプレイシステムによって実施される方法であって、前記方法は、
ユーザ固視点からの前記仮想コンテンツの近接度と、
前記原色画像の色であって、前記原色画像のうちの少なくとも１つは、別の色の原色画像と分解能が異なる、前記原色画像の色と
に基づいて、仮想コンテンツを形成する原色画像の分解能を調節することを含む、方法。
（項目６６）
ディスプレイシステムであって、
第１の画像ストリームおよび第２の画像ストリームを提供するための空間光変調器を備える画像源と、
前記第１および第２の画像ストリームを前記画像源から受信し、前記第１および第２の画像ストリームをユーザに出力するための光誘導光学系を備える視認アセンブリと、
前記画像源と通信する１つ以上のプロセッサと、
１つ以上のコンピュータ記憶媒体であって、前記１つ以上のコンピュータ記憶媒体は、命令を記憶しており、前記命令は、前記１つ以上のプロセッサによって実行されると、前記１つ以上のプロセッサに、
前記画像源に、前記第１の画像ストリームを前記視認アセンブリに出力させることであって、前記第１の画像ストリームによって形成される画像は、第１のピクセル密度を有する、ことと、
前記画像源に、前記第２の画像ストリームを前記視認アセンブリに出力させることであって、前記第２の画像ストリームによって形成される画像は、前記第１のピクセル密度を上回る第２のピクセル密度を有する、ことと
を含む動作を実施させ、
前記第２の画像ストリームによって形成される画像は、前記第１の画像ストリームによって提供される画像の部分に対応し、
前記第２の画像ストリームによって形成される画像は、前記第１の画像ストリームによって提供される視野の対応する部分を覆う、１つ以上のコンピュータ記憶媒体と
を備える、ディスプレイシステム。
（項目６７）
前記動作はさらに、前記第１の画像に対する前記第２の画像の場所を改変することを含む、項目６６に記載のディスプレイシステム。
（項目６８）
前記動作はさらに、前記第２の画像のサイズを経時的に改変することを含む、項目６７に記載のディスプレイシステム。
（項目６９）
前記ユーザの眼の配向の変化を検出するように構成される眼視線トラッカをさらに備え、
前記動作は、前記ユーザの眼の配向の検出された変化に従って、前記第１の画像に対する前記第２の画像の場所を改変することを含む、
項目６７に記載のディスプレイシステム。
（項目７０）
前記画像源と前記視認アセンブリとの間の前記第２の画像ストリームの経路内の走査ミラー
をさらに備え、
前記動作はさらに、前記走査ミラーの配向を調節し、前記第１の画像に対する前記第２の画像の画像の場所を改変することを含む、項目６９に記載のディスプレイシステム。
（項目７１）
前記視認アセンブリは、接眼レンズを備え、前記接眼レンズは、
光を前記導波管に内部結合するように構成される内部結合格子を備える導波管を備える、項目６６に記載のディスプレイシステム。
（項目７２）
前記内部結合格子は、液晶の偏光に敏感な内部結合格子である、項目７１に記載のディスプレイシステム。
（項目７３）
前記導波管は、光を前記導波管に内部結合するように構成される他の内部結合格子を備え、前記他の内部結合格子は、前記導波管の前記内部結合格子と異なる表面に沿って配置される、項目７１に記載のディスプレイシステム。
（項目７４）
前記内部結合格子および前記他の内部結合格子は両方とも、前記第２の画像ストリームの光学経路内にあり、
前記内部結合格子および前記他の内部結合格子は、第１の偏光を有する前記第２の画像ストリームに対して透過性であり、
前記他の内部結合格子から離間され、かつそれに面したミラーをさらに備え、前記ミラーは、前記第２の画像ストリームを前記他の内部結合格子に向かって反射させながら、また、前記第２の画像ストリームの光の偏光を第２の偏光に変化させるように構成され、前記他の内部結合格子は、前記第２の偏光の光を内部結合するように構成される、
項目７３に記載のディスプレイシステム。
（項目７５）
前記導波管は、光を前記導波管に内部結合するように構成される他の内部結合格子を備え、前記他の内部結合格子は、前記内部結合格子と前記導波管の同一表面に沿って配置され、前記内部結合格子は、前記第２の画像ストリームの経路内に配置され、前記他の内部結合格子は、前記第１の画像ストリームの経路内に配置される、項目７１に記載のディスプレイシステム。
（項目７６）
光を異なる方向に伝搬する複数の画像ストリームに分割するためのビーム分割光学系をさらに備える、項目６６に記載のディスプレイシステム。
（項目７７）
前記ビーム分割光学系は、偏光ビームスプリッタである、項目７６に記載のディスプレイシステム。
前記ビーム分割光学系は、切替可能反射体であり、前記切替可能反射体は、反射性状態と透過性状態との間で選択的に切替可能である、項目７６に記載のディスプレイシステム。
（項目７８）
画像をユーザの眼に投影させるためのディスプレイシステムであって、前記ディスプレイシステムは、
画像源であって、前記画像源は、第１の偏光における第１の画像ストリームと関連付けられた第１の光ビームと、前記第１の偏光と異なる第２の偏光における第２の画像ストリームと関連付けられた第２の光ビームとを投影するように構成され、前記第１の画像ストリームは、第１の視野を有し、前記第２の画像ストリームは、前記第１の視野より狭い第２の視野を有し、前記第１の光ビームおよび前記第２の光ビームは、多重化される、画像源と、
偏光ビームスプリッタであって、前記偏光ビームスプリッタは、
前記第１の画像ストリームを前記ユーザの眼に対して固定位置に位置付けるために、前記第１の光ビームを受光し、第１の光学経路に沿って視認アセンブリに向かって反射させることと、
前記第２の光ビームを受光し、第２の光学経路に沿って透過させることと
を行うように構成される、偏光ビームスプリッタと、
前記第２の光学経路に沿って配置され、前記第２の光ビームを受光し、前記視認アセンブリに向かって反射させるように構成される、走査ミラーと、
前記ユーザの眼の移動を検出するように構成される眼視線トラッカと、
前記眼視線トラッカおよび前記走査ミラーと通信する制御回路であって、前記制御回路は、前記第２の画像ストリームの位置が、前記ユーザの眼の検出された移動に従って移動されるように、前記走査ミラーを位置付けるように構成される、制御回路と
を備える、ディスプレイシステム。
（項目７９）
前記第１の画像ストリームは、第１の角度分解能を有し、前記第２の画像ストリームは、前記第１の角度分解能より高い第２の角度分解能を有する、項目７８に記載のディスプレイシステム。
（項目８０）
前記第２の画像ストリームのコンテンツは、前記第１の画像ストリームのコンテンツの一部を備える、項目７８に記載のディスプレイシステム。
（項目８１）
前記第２の画像ストリームのコンテンツは、前記第２の画像ストリームのコンテンツが、前記第２の画像ストリームによってオーバーレイされた前記第１の画像ストリームの部分に対応するように、前記第２の画像ストリームが前記第１の画像ストリームに対して移動するにつれて変化する、項目８０に記載のディスプレイシステム。
（項目８２）
前記第１の偏光および前記第２の偏光はそれぞれ、線形偏光であり、前記第２の偏光は、前記第１の偏光に直交する、項目７８に記載のディスプレイシステム。
（項目８３）
第１の角度拡大率を前記第１の光ビームに提供するように構成される第１の中継レンズアセンブリをさらに備える、項目７８に記載のディスプレイシステム。
（項目８４）
第２の角度拡大率を前記第２の光ビームに提供するように構成される第２の中継レンズアセンブリであって、前記第２の角度拡大率は、前記第１の角度拡大率と異なる、第２の中継レンズアセンブリ
をさらに備える、項目８３に記載のディスプレイシステム。
（項目８５）
前記第１の角度拡大率は、１を上回り、前記第２の角度拡大率は、１以下である、項目８４に記載のディスプレイシステム。
（項目８６）
前記第１の中継レンズアセンブリは、前記画像源と前記偏光ビームスプリッタとの間に位置付けられる第１の光学レンズと、前記第１の光学経路に沿って位置付けられる第２の光学レンズとを備え、前記第１の光学レンズの焦点距離と前記第２の光学レンズの焦点距離の比率は、１を上回る、項目８４に記載のディスプレイシステム。
（項目８７）
前記第２の中継レンズアセンブリは、前記第１の光学レンズと、前記第２の光学経路に沿って位置付けられる、第３の光学レンズとを備え、前記第１の光学レンズの焦点距離と前記第３の光学レンズの焦点距離の比率は、１以下である、項目８６に記載のディスプレイシステム。
（項目８８）
前記第１の光ビームおよび前記第２の光ビームは、時分割多重化され、
前記画像源は、切替偏光回転子を備え、前記切替偏光回転子は、前記第１の偏光における第１の光ビームと、前記第２の偏光における第２の光ビームとを提供するように構成される、項目７８に記載のディスプレイシステム。
（項目８９）
前記第１の光ビームおよび前記第２の光ビームは、偏光分割多重化される、項目７８に記載のディスプレイシステム。
（項目９０）
画像をユーザの眼に投影させるためのディスプレイシステムであって、前記ディスプレイシステムは、
第１の画像ストリームと関連付けられた第１の光ビームと、第２の画像ストリームと関連付けられた第２の光ビームとを投影するように構成される画像源であって、前記第１の画像ストリームは、第１の視野を有し、前記第２の画像ストリームは、前記第１の視野より狭い第２の視野を有し、前記第１の光ビームおよび前記第２の光ビームは、多重化される、画像源と、
前記第１の画像ストリームおよび前記第２の画像ストリームを投影させるために、前記第１の光ビームおよび前記第２の光ビームを受光し、視認アセンブリに向かって反射させるように構成される走査ミラーと、
前記ユーザの眼の移動を検出するように構成される眼視線トラッカと、
前記眼視線トラッカおよび前記走査ミラーと通信する制御回路であって、前記制御回路は、前記第１の画像ストリームの位置および前記第２の画像ストリームの位置が、前記ユーザの眼の検出された移動に従って移動されるように、前記走査ミラーを位置付けるように構成される、制御回路と、
前記第１の光ビームおよび前記第２の光ビームの光学経路内に配置される切替可能光学要素であって、前記切替可能光学要素は、前記第１の光ビームが第１の角度拡大率によって角度的に拡大されるように、前記第１の光ビームのための第１の状態に切り替えられ、前記第２の光ビームが前記第１の角度拡大率未満である第２の角度拡大率によって角度的に増幅されるように、前記第２の光ビームのための第２の状態に切り替えられるように構成される、切替可能光学要素と
を備える、ディスプレイシステム。
（項目９１）
前記第１の光ビームおよび前記第２の光ビームは、時分割多重化され、前記切替可能光学要素は、電気的に切替可能な液晶レンズを備える、項目９０に記載のディスプレイシステム。
（項目９２）
前記第１の光ビームおよび前記第２の光ビームは、偏光分割多重化され、前記切替可能光学要素は、多焦点複屈折レンズを備える、項目９０に記載のディスプレイシステム。
（項目９３）
前記多焦点複屈折レンズは、複屈折ポリマーを備える、項目９２に記載のディスプレイシステム。
（項目９４）
前記切替可能光学要素は、前記走査ミラーの下流に配置される、項目９０に記載のディスプレイシステム。
（項目９５）
前記切替可能光学要素は、前記走査ミラーの表面上に配置される、項目９０に記載のディスプレイシステム。
（項目９６）
前記切替可能光学要素は、前記画像源と前記走査ミラーとの間に配置される、項目９０に記載のディスプレイシステム。
（項目９７）
前記第１の角度拡大率は、１を上回り、前記第２の角度拡大率は、約１である、項目９０に記載のディスプレイシステム。
（項目９８）
ウェアラブルディスプレイシステムであって、
円偏光掌性依存拡大率を伴う無限焦点拡大レンズであって、前記無限焦点拡大レンズは、
第１の固定焦点距離レンズ要素と、
入射円偏光の第１の掌性のための正の屈折力を呈し、かつ入射円偏光の第２の掌性のための負の屈折力を呈する、第１の幾何学的位相レンズと、
第２の幾何学的位相レンズと
を備える、無限焦点拡大レンズ
を備える、ウェアラブルディスプレイシステム。
（項目９９）
光を透過させる際、前記第１の幾何学的位相レンズは、円偏光掌性を逆転させ、
前記第２の幾何学的位相レンズは、前記円偏光の第１の掌性のための負の屈折力を呈し、前記円偏光の第２の掌性のための正の屈折力を呈する、
項目９８に記載のウェアラブルディスプレイシステム。
（項目１００）
第２の固定焦点距離レンズをさらに備え、前記第２の幾何学的位相レンズは、前記円偏光の第１の掌性のための正の屈折力を呈し、前記円偏光の第２の掌性のための負の屈折力を呈する、項目９８に記載のウェアラブルディスプレイシステム。
（項目１０１）
光を透過させる際、前記第１の幾何学的位相レンズは、円偏光掌性を逆転させる、項目９８に記載のウェアラブルディスプレイシステム。
（項目１０２）
前記第１の固定焦点距離レンズ要素および前記第１の幾何学的位相レンズをレンズグループとして見なすと、前記第１の掌性を有する光に関して、前記レンズグループは、第１のグループの正の焦点距離を有し、前記第２の掌性を有する光に関して、前記レンズグループは、第２のグループの正の焦点距離を有し、前記第１のグループの正の焦点距離は、前記第２のグループの正の焦点距離を超える、項目９８に記載のウェアラブルディスプレイシステム。
（項目１０３）
前記無限焦点拡大レンズに光学的に結合される偏光回転子であって、前記偏光回転子は、偏光を受光し、第１の線形偏光または第２の線形偏光の光を選択的に出力するように構成される、偏光回転子と、
前記偏光回転子と前記無限焦点拡大レンズとの間の第１の波長板であって、前記第１の波長板は、前記第１の線形偏光の光を前記第１の掌性の円偏光に変換し、前記第２の線形偏光の光を前記第２の掌性の円偏光に変換するように構成される、第１の波長板と
をさらに備える、項目９８に記載のウェアラブルディスプレイシステム。
（項目１０４）
前記第１の線形偏光の光のための前記偏光回転子と前記第１の波長板との間の第１の光学経路と、
前記第２の線形偏光の光のための前記偏光回転子と前記第１の波長板との間の第２の光学経路と
を含む、項目１０３に記載のウェアラブルディスプレイシステム。
（項目１０５）
前記第１の光学経路および前記第２の光学経路のうちの少なくとも１つは、操向可能ミラーを含む、項目１０４に記載のウェアラブルディスプレイシステム。
（項目１０６）
前記第１の光学経路および前記第２の光学経路はそれぞれ、複数の中継レンズ要素の少なくともサブセットを含む、項目１０４に記載のウェアラブルディスプレイシステム。
（項目１０７）
前記第１の光学経路および前記第２の光学経路のそれぞれ内では、前記複数の中継レンズ要素の連続対が、無限焦点複合レンズを形成する、項目１０３に記載のウェアラブルディスプレイシステム。
（項目１０８）
前記第１の光学経路は、偏光選択的反射体に交差し、前記第２の光学経路は、前記偏光選択的反射体に交差する、項目１０４に記載のウェアラブルディスプレイシステム。
（項目１０９）
前記第１の光学経路および前記第２の光学経路はそれぞれ、４つの中継レンズ要素の少なくともサブセットを含み、前記４つの中継レンズ要素は、前記偏光選択的反射体を中心として位置付けられる、項目１０８に記載のウェアラブルディスプレイシステム。
（項目１１０）
前記第１の光学経路は、第１の方向において、前記偏光選択的反射体に交差し、前記第２の光学経路は、第２の方向において、前記偏光選択的反射体に交差する、項目１０８に記載のウェアラブルディスプレイシステム。
（項目１１１）
前記第１の光学経路および前記第２の光学経路のうちの少なくとも１つは、第２の波長板と、第３の波長板とを含む、項目１０８に記載のウェアラブルディスプレイシステム。
（項目１１２）
ウェアラブル画像プロジェクタのための光学サブシステムであって、
偏光選択的反射体と、
前記偏光選択的反射体を中心として位置付けられる４つのレンズ要素のセットと
を備える、光学サブシステム。
（項目１１３）
前記４つのレンズ要素のセットの各連続対は、前記サブシステムを通した少なくとも１つの光学経路に沿って、無限焦点複合レンズを形成する、項目１１２に記載の光学サブシステム。
（項目１１４）
前記偏光選択的反射体および前記４つのレンズ要素のセットに光学的に結合される偏光回転スイッチをさらに備える、項目１１２に記載の光学サブシステム。
（項目１１５）
前記偏光選択的反射体を中心として位置付けられる複数の波長板をさらに備える、項目１１４に記載の光学サブシステム。
（項目１１６）
前記複数の波長板はそれぞれ、前記４つの中継レンズ要素のセットのうちの１つと前記偏光選択的反射体との間に位置付けられる、項目１１５に記載の光学サブシステム。
（項目１１７）
前記複数の波長板は、３つの波長板を含む、項目１１５に記載の光学サブシステム。
（項目１１８）
前記偏光選択的反射体から前記４つの中継レンズのセットの第１のものと反対側上に位置付けられる中心窩追跡ミラーをさらに備える、項目１１５に記載の光学サブシステム。
（項目１１９）
前記偏光選択的反射体から前記４つの中継レンズのセットの第２のものと反対側上に位置付けられる画像走査ミラーをさらに備える、項目１１８に記載の光学サブシステム。
（項目１２０）
前記画像走査ミラーに光学的に結合される光ビーム源をさらに備える、項目１１９に記載の光学サブシステム。
（項目１２１）
前記光ビーム源は、ダイクロイック反射体と、前記ダイクロイック反射体によって反射された第１の色の光を放出する第１のレーザダイオードと、前記ダイクロイック反射体によって透過された第２の色の光を放出する第２のレーザダイオードとを備える、項目１２０に記載の光学サブシステム。
（項目１２２）
画像をユーザの眼に投影させるためのディスプレイシステムであって、前記ディスプレイシステムは、
接眼レンズであって、前記接眼レンズは、
導波管と、
前記導波管に光学的に結合される内部結合格子と
を含む、接眼レンズと、
第１の画像ストリームと関連付けられた第１の光ビームを投影するように構成される第１の画像源であって、前記第１の画像ストリームは、前記内部結合格子の第１の表面上に入射する第１の視野を有し、前記第１の光ビームの一部は、前記第１の画像ストリームを前記ユーザの眼に対して固定位置に位置付けるために、前記内部結合格子によって、前記導波管の中に結合される、第１の画像源と、
第２の画像ストリームと関連付けられた第２の光ビームを投影するように構成される第２の画像源であって、前記第２の画像ストリームは、前記第１の視野より狭い第２の視野を有する、第２の画像源と、
走査ミラーであって、前記走査ミラーは、前記第２の光ビームが、その前記第１の表面と反対の前記内部結合格子の第２の表面上に入射するように、前記第２の光ビームを受光し、反射させるように構成され、前記第２の光ビームの一部は、前記内部結合格子によって、前記導波管の中に結合される、走査ミラーと、
前記ユーザの眼の移動を検出するように構成される眼視線トラッカと、
前記眼視線トラッカおよび前記走査ミラーと通信する制御回路であって、前記制御回路は、前記第２の画像ストリームの位置が、前記ユーザの眼の検出された移動に従って移動されるように、前記走査ミラーを位置付けるように構成される、制御回路と
を備える、ディスプレイシステム。
（項目１２３）
第１のレンズアセンブリをさらに備え、前記第１のレンズアセンブリは、前記第１の光ビームの第１の光学経路に沿って位置付けられ、第１の角度拡大率を前記第１の光ビームに提供するように構成される、項目１２２に記載のディスプレイシステム。
（項目１２４）
第２のレンズアセンブリをさらに備え、前記第２のレンズアセンブリは、前記第２の光ビームの第２の光学経路に沿って位置付けられ、第２の角度拡大率を前記第２の光ビームに提供するように構成され、前記第２の角度拡大率は、前記第１の角度拡大率と異なる、項目１２３に記載のディスプレイシステム。
（項目１２５）
前記第１の角度拡大率は、１を上回り、前記第２の角度拡大率は、１以下である、項目１２４に記載のディスプレイシステム。
（項目１２６）
前記第１の画像ストリームは、第１の角度分解能を有し、前記第２の画像ストリームは、前記第１の角度分解能より高い第２の角度分解能を有する、項目１２２に記載のディスプレイシステム。
（項目１２７）
画像をユーザの眼に投影させるためのディスプレイシステムであって、前記ディスプレイシステムは、
接眼レンズであって、前記接眼レンズは、
導波管と、
前記導波管に光学的に結合される内部結合格子と
を含む、接眼レンズと、
画像源であって、前記画像源は、第１の偏光における第１の画像ストリームと関連付けられた第１の光ビームと、前記第１の偏光と異なる第２の偏光における第２の画像ストリームと関連付けられた第２の光ビームとを投影するように構成され、前記第１の画像ストリームは、第１の視野を有し、前記第２の画像ストリームは、前記第１の視野より狭い第２の視野を有し、前記第１の光ビームおよび前記第２の光ビームは、多重化される、画像源と、
偏光ビームスプリッタであって、前記偏光ビームスプリッタは、
前記第１の光ビームを受光し、第１の光学経路に沿って反射させることと、
前記第２の光ビームを受光し、第２の光学経路に沿って透過させることと
を行うように構成される、偏光ビームスプリッタと、
第１の光学反射体であって、前記第１の光学反射体は、前記第１の光学経路に沿って位置付けられ、前記第１の光ビームが、前記内部結合格子の第１の表面上に入射するように、前記第１の光ビームを受光し、反射させるように構成され、前記第１の光ビームの一部は、前記第１の画像ストリームを前記ユーザの眼に対して固定位置に位置付けるために、前記内部結合格子によって、前記導波管の中に結合される、第１の光学反射体と、
前記第２の光学経路に沿って配置され、前記第２の光ビームを受光し、反射させるように構成される走査ミラーと、
第２の光学反射体であって、前記第２の光学反射体は、前記走査ミラーの下流の前記第２の光学経路に沿って位置付けられ、前記第２の光学反射体は、前記第２の光ビームが、その前記第１の表面と反対の前記内部結合格子の第２の表面上に入射するように、前記第２の光ビームを受光し、反射させるように構成され、前記第２の光ビームの一部は、前記内部結合格子によって、前記導波管の中に結合される、第２の光学反射体と、
前記ユーザの眼の移動を検出するように構成される眼視線トラッカと、
前記眼視線トラッカおよび前記走査ミラーと通信する制御回路であって、前記制御回路は、前記第２の画像ストリームの位置が、前記ユーザの眼の検出された移動に従って移動されるように、前記走査ミラーを位置付けるように構成される、制御回路と
を備える、ディスプレイシステム。
（項目１２８）
画像をユーザの眼に投影させるためのディスプレイシステムであって、前記ディスプレイシステムは、
導波管と、
画像源であって、前記画像源は、第１の偏光における第１の画像ストリームと関連付けられた第１の光ビームと、前記第１の偏光と異なる第２の偏光における第２の画像ストリームと関連付けられた第２の光ビームとを投影するように構成され、前記第１の画像ストリームは、第１の視野を有し、前記第２の画像ストリームは、前記第１の視野より狭い第２の視野を有し、前記第１の光ビームおよび前記第２の光ビームは、多重化される、画像源と、
偏光ビームスプリッタであって、前記偏光ビームスプリッタは、
前記第１の光ビームを受光し、第１の光学経路に沿って反射させることと、
前記第２の光ビームを受光し、第２の光学経路に沿って透過させることと
を行うように構成される、偏光ビームスプリッタと、
前記第１の光学経路に沿って、前記導波管の第１の表面に隣接して位置付けられる第１の内部結合プリズムであって、前記第１の内部結合プリズムは、前記第１の画像ストリームを前記ユーザの眼に対して固定位置に位置付けるために、前記第１の光ビームの一部を前記導波管の中に結合するように構成される、第１の内部結合プリズムと、
前記第２の光学経路に沿って配置され、前記第２の光ビームを受光し、反射させるように構成される走査ミラーと、
前記走査ミラーの下流の前記第２の光学経路に沿って、前記導波管の前記第１の表面と反対の前記導波管の第２の表面に隣接して位置付けられる第２の内部結合プリズムであって、前記第２の内部結合プリズムは、前記第２の光ビームの一部を前記導波管の中に結合するように構成される、第２の内部結合プリズムと、
前記ユーザの眼の移動を検出するように構成される眼視線トラッカと、
前記眼視線トラッカおよび前記走査ミラーと通信する制御回路であって、前記制御回路は、前記第２の画像ストリームの位置が、前記ユーザの眼の検出された移動に従って移動されるように、前記走査ミラーを位置付けるように構成される、制御回路と
を備える、ディスプレイシステム。